(57)【要約】【課題】電流の大きい電源ラインを有するＦＰＣと接続するＦＰＣ用コネクタを提供する。【解決手段】コネクタ１０は、電流の小さい信号ラインＳＬと電流の大きい電源ラインＰＬが並存したＦＰＣ７１ｆとプリント基板を電気的に接続できる。コネクタ１０は、ハウジング１１と複数の板状のコンタクト２１を備える。ハウジング１１は、プリント基板に配置され、ＦＰＣ７１ｆを導入自在な凹部１１ｈを有する。コンタクト２１は、凹部１１ｈに臨んで並設配置されている。コンタクト２１は、単位コンタクト２１ｕと集合コンタクト２１ｇを含んでいる。単位コンタクト２１ｕは、信号ラインＳＬに接続できる。集合コンタクト２１ｇは、電源ラインＰＬに接続できる。集合コンタクト２１ｇは、単位コンタクト２１ｕの外形を一致させた状態で、単位コンタクト２１ｕの側面同士を重ね合わせている。【選択図】図１
2019106347.tif 000002
【特許請求の範囲】
【請求項１】
ＦＰＣとプリント基板を電気的に接続するためのＦＰＣ用コネクタであって、
前記プリント基板に配置され、前記ＦＰＣを導入自在な凹部を一方の端部に設けた直方体状のハウジングと、
前記ハウジングの凹部に臨んで並設配置した複数の板状のコンタクトと、を備え、
これらのコンタクトは、単位コンタクトの側面同士を重ね合わせた集合コンタクトを含んでいる、ＦＰＣ用コネクタ。
【請求項２】
電流の小さい信号ラインと電流の大きい電源ラインが並存したＦＰＣとプリント基板を電気的に接続するためのＦＰＣ用コネクタであって、
前記プリント基板に配置され、前記ＦＰＣを導入自在な凹部を一方の端部に設けた直方体状のハウジングと、
前記ハウジングの凹部に臨んで並設配置した複数の板状のコンタクトと、を備え、
これらのコンタクトは、
前記信号ラインに接続する単位コンタクトと、
前記電源ラインに接続し、前記単位コンタクトの側面同士を重ね合わせた集合コンタクトと、を含んでいる、ＦＰＣ用コネクタ。
【請求項３】
前記集合コンタクトは、前記単位コンタクトを二枚重ねしている、請求項１又は２記載のＦＰＣ用コネクタ。
【請求項４】
前記ＦＰＣは、係止孔を端末に開口した第１のＦＰＣからなり、
前記ハウジングは、前記凹部を部分的に開閉自在に覆うロックレバーを有する第１のハウジングからなり、
前記コンタクトは、基端部から先端部に向かって延びる一対のアームの先端部に対向配置した接点を有する音叉形の第１の単位コンタクトからなり、
前記ロックレバーは、前記係止孔に係脱自在な円柱状の突起を有している、請求項１から３のいずれかに記載のＦＰＣ用コネクタ。
【請求項５】
前記ＦＰＣは、相反する向きに突出した一対の係止突起を端末の両側部に有する第２のＦＰＣからなり、
前記ハウジングは、前記凹部の底面から隆起し、一対の前記係止突起に係止して、前記第２のＦＰＣの脱落を防止する一対の柱状段差を有すると共に、後部に形成した段差を開閉自在に覆うバックフリップカバーを有する第２のハウジングからなり、
前記コンタクトは、
前記第２のハウジングに固定される第１固定アームと、
第１の接点を先端部に設け、前記第１固定アームに対向配置した第１弾性アームと、
前記第１固定アーム及び前記第１弾性アームの基端同士を連結した第１連結脚と、
前記第１弾性アームと相反する向きに延びる係合アームと、
前記第１固定アームと前記第１弾性アームの間に配置され、第２の接点を先端部に設け、前記第１固定アームに対向配置した第２弾性アームと、を有する第２の単位コンタクトからなり、
前記バックフリップカバーは、前記係合アームと前記段差の底面との間に回動自在に保持され、前記係合アームを押動又は前記係合アームが追従して、前記第１弾性アームの先端部を前記第２弾性アームに対して変位させる第１カム部を基端部に有し、
前記第２のハウジングに対して前記バックフリップカバーを閉じた状態では、前記第１の接点が前記第２の接点に向かって移動し、
前記第２のハウジングに対して前記バックフリップカバーを開いた状態では、前記第１の接点が前記第２の接点から離間する、請求項１から３のいずれかに記載のＦＰＣ用コネクタ。
【請求項６】
前記ＦＰＣは、端末の先端縁から基端部側に向かって切り欠いたスリット溝を形成した第３のＦＰＣからなり、
前記ハウジングは、前記凹部の底面から立設し、前記スリット溝を案内するガイドピンを有すると共に、前部を開閉自在に覆うフロントフリップカバーを有する第３のハウジングからなり、
前記コンタクトは、
基端部側を前記第３のハウジングに固定し、先端部側を前記凹部に向かって延出した第２固定アームと、
この第２固定アームと略平行に配置した第３弾性アームと、
前記第２固定アーム及び前記第３弾性アームの基端同士を連結する第２連結脚と、を有する第３の単位コンタクトからなり、
前記フロントフリップカバーは、回動自在な第２カム部を基端部に有し、
前記第２固定アームは、前記凹部の底面と対向し、前記第２カム部を押さえる押え部を先端部側に有し、
前記第３弾性アームは、前記押え部に向かって突出した第３の接点を先端部側に有し、
前記第３のハウジングに対して前記フロントフリップカバーを閉じた状態では、前記第３の接点に向かって前記第２カム部が前記第３のＦＰＣを加圧し、
前記第３のハウジングに対して前記フロントフリップカバーを開いた状態では、前記第３の接点が前記第３のＦＰＣから離間する、請求項１から３のいずれかに記載のＦＰＣ用コネクタ。
【発明の詳細な説明】
【技術分野】
【０００１】
本発明は、ＦＰＣ用コネクタに関する。特に、ＦＰＣ（Ｆｌｅｘｉｂｌｅ  Ｐｒｉｎｔｅｄ  Ｃｉｒｃｕｉｔ）やＦＦＣ（Ｆｌｅｘｉｂｌｅ  Ｆｌａｔ  Ｃａｂｌｅ）などの平形柔軟ケーブルを、硬質のプリント基板に電気的に接続するＦＰＣ用コネクタであって、バッテリーなどに接続した電流の大きい電源ラインを有するＦＰＣと接続するために好適なコンタクト構造を有するＦＰＣ用コネクタの構造に関する。
【背景技術】
【０００２】
ＦＰＣは、電子部品を実装でき、柔軟性を有するプリント基板として使用できる。又、ＦＰＣは、可撓性を有すると共に薄型化できることから、近年では、複数の電線を絶縁被覆して集合したフラットケーブルに換えて、複数の導体パターンを平面上に配置したフレキシブルケーブルとして、携帯電話機の内部又はパソコンの内部に使用している。
【０００３】
ＦＰＣ又はＦＦＣなどの帯状の接続部材と硬質のプリント基板（いわゆる、リジッド基板）を電気的に接続するＦＰＣ用コネクタとしては、プリント基板に実装したハウジングと開閉自在に連結したカバー部材を閉じることで、ハウジングに配置したコンタクトをＦＰＣの導体パターンに接触させる開閉式のＦＰＣ用コネクタが知られている。
【０００４】
又、開閉自在なカバー部材を用いることなく、ハウジングに設けた開口にＦＰＣを挿入することで、ハウジングに配置したコンタクトをＦＰＣの導体パターンに接触できる、いわる、Ｎｏｎ−ＺＩＦ（Ｚｅｒｏ  ｉｎｓｅｒｔｉｏｎ  Ｆｏｒｃｅ）形のＦＰＣ用コネクタも知られている（例えば、特許文献１参照）。
【先行技術文献】
【特許文献】
【０００５】
【特許文献１】特開２０１６−１３６４６３号公報
【発明の概要】
【発明が解決しようとする課題】
【０００６】
図９は、従来技術によるＦＰＣ用コネクタの構成を示す斜視図である。図１０は、従来技術によるＦＰＣ用コネクタの縦断面図であり、図１０（Ａ）は、回動レバーが傾斜した状態図、図１０（Ｂ）は、回動レバーが傾倒した状態に至る途中の状態図、図１０（Ｃ）は、回動レバーが傾倒した状態図である。
【０００７】
なお、本願の図９は、特許文献１の図１に相当している。又、本願の図１０は、特許文献１の図１１に相当している。
【０００８】
図９又は図１０を参照すると、従来技術によるＦＰＣ用コネクタ（以下、コネクタと略称する）８は、直方体状のハウジング８１、複数の板状のコンタクト８２、及び、板状の回動レバー８３を備えている。
【０００９】
図９又は図１０を参照すると、コネクタ１０は、帯板状のＦＰＣ７ｆとプリント基板９ｐを電気的に接続できる。ＦＰＣ７ｆは、その端部の両側縁に一対の方形の切り欠き７ｄ・７ｄを切り欠いている。又、ＦＰＣ７ｆは、その端部の一方の面Ｓｆに複数の導体パターン７ｗを露出させている（図９参照）。
【００１０】
図９又は図１０を参照すると、ハウジング８１は、プリント基板９ｐに配置されている。図９を参照すると、ハウジング８１は、横長の開口８１ｈを一方の端部に開口している。図９又は図１０を参照すると、ハウジング８１の開口８１ｈには、ＦＰＣ７ｆの端部を挿入できる。
【００１１】
図９又は図１０を参照すると、複数のコンタクト８２は、ハウジング８１の開口８１ｈに臨んで並設配置されている。これらのコンタクト８２は、ＦＰＣ７ｆの導体パターン７ｗとプリント基板９ｐを電気的に接続できる。
【００１２】
図９又は図１０を参照すると、回動レバー８３は、ハウジング８１と回動自在に連結している。図９又は図１０（Ａ）に示すように、回動レバー８３は、通常、ハウジング８１に対して傾斜状態に配置している。一方、図１０（Ｃ）に示すように、回動レバー８３を回動して、回動レバー８３をハウジング８１の他方の端部側に傾倒できる。
【００１３】
図９を参照すると、回動レバー８３は、一対のフック部（図示せず）を両端部に備えている。これらのフック部は、その先端部を鉤状に形成している。
【００１４】
図１０（Ａ）を参照して、ＦＰＣ７ｆをハウジング８１の開口８１ｈに挿入し、ＦＰＣ７ｆの先端縁が回動レバー８３を押すと、回動レバー８３は、傾斜状態からハウジング８１の他方の端部側に傾倒する（図１０（Ｃ）参照）。図１０（Ｃ）に示した状態では、フック部の先端部が切り欠き７ｄに挿入されている（図９参照）。これにより、ＦＰＣ７ｆの完全な挿入を検知できる。
【００１５】
図９を参照すると、回動レバー８３は、把持部８３１を先端部に備えている。回動レバー８３がハウジング８１の他方の端部側に傾倒した状態から（図１１（Ｃ）参照）、把持部８３１を把持して、回動レバー８３を初期の傾斜状態に復帰させることができる（図９又は図１０（Ａ）参照）。
【００１６】
図１０を参照すると、コンタクト８２は、導電性を有する金属板を打ち抜き成形している。コンタクト８２は、第１固定アーム８２ａ、第２固定アーム８２ｂ、及び弾性アーム８２ｃを備えている。
【００１７】
図１０を参照すると、第１固定アーム８２ａは、ハウジング８１の一方の端部側から圧入穴８１２に圧入している。第２固定アーム８２ｂは、第１固定アーム８２ａと略平行に延びている。そして、第２固定アーム８２ｂは、開口８１ｈの底面に並設配置している。
【００１８】
図１０を参照すると、弾性アーム８２ｃは、第２固定アーム８２ｂの先端部から反転している。そして、弾性アーム８２ｃは、第２固定アーム８２ｂの基端部に向かって、第２固定アーム８２ｂと略平行に延びている。
【００１９】
図１０を参照すると、第２固定アーム８２ｂは、突部８２１を中間部に有している。突部８２１は、弾性アーム８２ｃの先端部に向かって突出している。一方、弾性アーム８２ｃは、突部８２１に向かって突出した接点８２２を有している。
【００２０】
図１０に示すように、ＦＰＣ７ｆをハウジング８１の開口８１ｈに挿入すると、突部８２１と接点８２２の間にＦＰＣ７ｆを挟持できる。そして、接点８２２を導体パターン７ｗに弾性をもって接触できる（図９参照）。
【００２１】
図１０を参照すると、第１固定アーム８２ａは、ハウジング８１の一方の端部側に延出したリード部８２ｒを有している。リード部８２ｒは、その底面をプリント基板９ｐの一方の面９１ｐにハンダ接合できる（図９参照）。つまり、従来技術によるコネクタ８は、表面実装型のコネクタである。
【００２２】
図９を参照すると、ハウジング８１は、一対の方形の溝部８１ｄ・８１ｄを他方の端部側に形成している。これらの溝部８１ｄ・８１ｄには、回動レバー８３の両端部に設けた一対の回動軸をハウジング８１の他方の端部側から導入できる。
【００２３】
図９又は図１０を参照すると、コネクタ８は、一対の補強タブ８４・８４を更に備えている。補強タブ８４は、圧入片と押え部を有している。圧入片をハウジング８１の他方の端部側から圧入することで、補強タブ８４をハウジング８１に固定できる。
【００２４】
図９を参照して、補強タブ８４をハウジング８１に固定することで、補強タブ８４の押え部で溝部８１ｄを塞ぐことができる。回動レバー８３の押え部は、回動レバー８３の回動軸が溝部８１ｄから離脱困難に押さえることができる。又、図１０を参照して、補強タブ８４の底面をプリント基板９ｐの一方の面９１ｐにハンダ接合することで、プリント基板９ｐに対するコネクタ８のハンダ接合強度を補強できる。
【００２５】
近年では、バッテリーなどに接続した電流の大きい電源ラインと電流の小さい信号ラインが並存したＦＰＣが出現している。例えば、このようなバッテリー接続用のＦＰＣは、大電流を通電できるように、電源ラインのライン数を増やして分流したり、その電源ラインの銅箔厚を厚くしたり、電源ラインの銅箔をＦＰＣの両側に幅広の帯状に配置している。
【００２６】
図９又は図１０を参照して、このような大電流用のＦＰＣを従来技術によるコネクタ８で接続するためには、信号ラインと接続する板厚の薄いコンタクト８２を用いて、多数のコンタクト８２で電流の大きい電源ラインに接続する必要がある。電源ラインに接触するコンタクト８２の本数が少ないと、弾性アーム８２ｃの断面積の総和が小さくなり、弾性アーム８２ｃの総和の電気抵抗が大きくなり、弾性アーム８２ｃの発熱量が大きくなりすぎる心配がある。
【００２７】
図１０を参照して、コンタクト８２の板厚を倍増したコンタクトを用いて、これらのコンタクトで電源ラインに接続するように構成すれば、これらのコンタクトの断面積の総和が大きくなり、これらのコンタクトの総和の電気抵抗を小さくできることから、コンタクト８２の設置本数の制約を緩和できる。
【００２８】
しかし、プレス加工機を用いて、図１０に示したようなコンタクト８２を打ち抜き加工するためには、弾性アーム８２ｃの抜き幅が板厚と同等以上必要とされている。板厚の厚い弾性アーム８２ｃを打ち抜き加工するためには、弾性アーム８２ｃの長方形の断面の高さを大きくする必要があるが、コネクタ８全体としては、その実装高が高くなり、コネクタの低背化の妨げになるという問題がある。
【００２９】
又、外形が同じであり、信号ライン用の板厚の薄いコンタクトと電源ライン用の板厚の厚いコンタクトを同じ金型と打ち抜き加工することは困難であり、信号ライン用のコンタクトと電源ライン用のコンタクトを別々の金型で製造すると、コンタクトの製造原価を上昇させるという問題がある。
【００３０】
ＦＰＣとプリント基板を接続するためのＦＰＣ用コネクタであって、大電流に対応でき、低背及び省スペースを実現したコンタクト構造を有するＦＰＣ用コネクタが求められている。そして、以上のことが本発明の課題といってよい。
【００３１】
本発明は、このような課題に鑑みてなされたものであり、ＦＰＣとプリント基板を接続するためのＦＰＣ用コネクタであって、大電流に対応でき、コネクタの低背化及び省スペースを実現したコンタクト構造を有するＦＰＣ用コネクタ提供することを目的とする。
【課題を解決するための手段】
【００３２】
本発明者は、ハウジングに並設配置した複数の板状のコンタクトを単位コンタクトの側面同士を重ね合わせた集合コンタクトで構成することで、大電流に対応でき、コネクタの低背化及び省スペースを実現できると考え、これに基づいて、以下のような新たなコンタクト構造を有するＦＰＣ用コネクタを発明するに至った。
【００３３】
（１）  ＦＰＣとプリント基板を電気的に接続するためのＦＰＣ用コネクタであって、前記プリント基板に配置され、前記ＦＰＣを導入自在な凹部を一方の端部に設けた直方体状のハウジングと、前記ハウジングの凹部に臨んで並設配置した複数の板状のコンタクトと、を備え、これらのコンタクトは、単位コンタクトの側面同士を重ね合わせた集合コンタクトを含んでいる、ＦＰＣ用コネクタ。
【００３４】
（２）  電流の小さい信号ラインと電流の大きい電源ラインが並存したＦＰＣとプリント基板を電気的に接続するためのコンタクト構造を有するＦＰＣ用コネクタであって、前記プリント基板に配置され、前記ＦＰＣを導入自在な凹部を一方の端部に設けた直方体状のハウジングと、前記ハウジングの凹部に臨んで並設配置した複数の板状のコンタクトと、を備え、これらのコンタクトは、前記信号ラインに接続する単位コンタクトと、前記電源ラインに接続し、前記単位コンタクトの側面同士を重ね合わせた集合コンタクトと、を含んでいる、ＦＰＣ用コネクタ。
【００３５】
（３）  前記集合コンタクトは、前記単位コンタクトを二枚重ねしている、（１）又は（２）記載のＦＰＣ用コネクタ。
【００３６】
（４）  前記ＦＰＣは、係止孔を端末に開口した第１のＦＰＣからなり、前記ハウジングは、前記凹部を部分的に開閉自在に覆うロックレバーを有する第１のハウジングからなり、前記コンタクトは、基端部から先端部に向かって延びる一対のアームの先端部に対向配置した接点を有する音叉形の第１の単位コンタクトからなり、前記ロックレバーは、前記係止孔に係脱自在な円柱状の突起を有している、（１）から（３）のいずれかに記載のＦＰＣ用コネクタ。
【００３７】
（４）  前記ＦＰＣは、相反する向きに突出した一対の係止突起を端末の両側部に有する第２のＦＰＣからなり、前記ハウジングは、前記凹部の底面から隆起し、一対の前記係止突起に係止して、前記第２のＦＰＣの脱落を防止する一対の柱状段差を有すると共に、後部に形成した段差を開閉自在に覆うバックフリップカバーを有する第２のハウジングからなり、前記コンタクトは、前記第２のハウジングに固定される第１固定アームと、第１の接点を先端部に設け、前記第１固定アームに対向配置した第１弾性アームと、前記第１固定アーム及び前記第１弾性アームの基端同士を連結した第１連結脚と、前記第１弾性アームと相反する向きに延びる係合アームと、前記第１固定アームと前記第１弾性アームの間に配置され、第２の接点を先端部に設け、前記第１固定アームに対向配置した第２弾性アームと、を有する第２の単位コンタクトからなり、前記バックフリップカバーは、前記係合アームと前記段差の底面との間に回動自在に保持され、前記係合アームを押動又は前記係合アームが追従して、前記第１弾性アームの先端部を前記第２弾性アームに対して変位させる第１カム部を基端部に有し、前記第２のハウジングに対して前記バックフリップカバーを閉じた状態では、前記第１の接点が前記第２の接点に向かって移動し、前記第２のハウジングに対して前記バックフリップカバーを開いた状態では、前記第１の接点が前記第２の接点から離間する、（１）から（３）のいずれかに記載のＦＰＣ用コネクタ。
【００３８】
（５）  前記ＦＰＣは、端末の先端縁から基端部側に向かって切り欠いたスリット溝を形成した第３のＦＰＣからなり、前記ハウジングは、前記凹部の底面から立設し、前記スリット溝を案内するガイドピンを有すると共に、前部を開閉自在に覆うフロントフリップカバーを有する第３のハウジングからなり、前記コンタクトは、基端部側を前記第３のハウジングに固定し、先端部側を前記凹部に向かって延出した第２固定アームと、この第２固定アームと略平行に配置した第３弾性アームと、前記第２固定アーム及び前記第３弾性アームの基端同士を連結する第２連結脚と、を有する第３の単位コンタクトからなり、前記フロントフリップカバーは、回動自在な第２カム部を基端部に有し、前記第２固定アームは、前記凹部の底面と対向し、前記第２カム部を押さえる押え部を先端部側に有し、前記第３弾性アームは、前記押え部に向かって突出した第３の接点を先端部側に有し、前記第３のハウジングに対して前記フロントフリップカバーを閉じた状態では、前記第３の接点に向かって前記第２カム部が前記第３のＦＰＣを加圧し、前記第３のハウジングに対して前記フロントフリップカバーを開いた状態では、前記第３の接点が前記第３のＦＰＣから離間する、（１）から（３）のいずれかに記載のＦＰＣ用コネクタ。
【発明の効果】
【００３９】
本発明によるＦＰＣ用コネクタは、ハウジングに並設配置した複数の板状のコンタクトを単位コンタクトの側面同士を重ね合わせた集合コンタクトで構成したコンタクト構造を有し、集合コンタクトは、１極当たりの電流量を大きくすることが可能になり、極間壁を不要とするので、コネクタの幅方向（ピッチ方向）の小型化を実現できる。
【００４０】
又、本発明によるＦＰＣ用コネクタは、信号ラインに接続するコンタクトを製造する金型と、電源ラインに接続するコンタクトを製造する金型を別々に用意する必要が無くなり、製造原価の低減を期待できる。
【図面の簡単な説明】
【００４１】
【図１】本発明の第１実施形態によるＦＰＣ用コネクタの構成を示す図であり、図１（Ａ）は、第１実施形態によるＦＰＣ用コネクタの斜視図、図１（Ｂ）は、第１実施形態によるＦＰＣ用コネクタの斜視分解組立図である。
【図２】第１実施形態によるＦＰＣ用コネクタの構成を示す図であり、図２（Ａ）は、第１実施形態によるＦＰＣ用コネクタの平面図、図２（Ｂ）は、第１実施形態によるＦＰＣ用コネクタの正面図、図２（Ｃ）は、第１実施形態によるＦＰＣ用コネクタの縦断面図であり、第１実施形態によるＦＰＣ用コネクタに備わるロックレバーを開いた状態図である。
【図３】第１実施形態によるＦＰＣ用コネクタに備わる第１の単位コンタクトの構成を示す斜視図である。
【図４】第１実施形態によるＦＰＣ用コネクタの構成を示す図であり、図４（Ａ）は、第１実施形態によるＦＰＣ用コネクタの平面図、図４（Ｂ）は、図４（Ａ）のＡ−Ａ矢視断面図である。
【図５】本発明の第２実施形態によるＦＰＣ用コネクタの構成を示す図であり、図５（Ａ）は、第２実施形態によるＦＰＣ用コネクタの斜視図、図５（Ｂ）は、第２実施形態によるＦＰＣ用コネクタの斜視分解組立図である。
【図６】第２実施形態によるＦＰＣ用コネクタの構成を示す図であり、図６（Ａ）は、第２実施形態によるＦＰＣ用コネクタを拡大して示す縦断面図であり、図６（Ｂ）は、第２実施形態によるＦＰＣ用コネクタの平面図、図６（Ｃ）は、図６（Ｂ）のＡ−Ａ矢視断面図である。
【図７】本発明の第３実施形態によるＦＰＣ用コネクタを示す図であり、図７（Ａ）は、第３実施形態によるＦＰＣ用コネクタの斜視図、図７（Ｂ）は、第３実施形態によるＦＰＣ用コネクタの斜視分解組立図である。
【図８】第３実施形態によるＦＰＣ用コネクタを示す図であり、図８（Ａ）は、第３実施形態によるＦＰＣ用コネクタを拡大して示す縦断面図であり、図８（Ｂ）は、第３実施形態によるＦＰＣ用コネクタの平面図、図８（Ｃ）は、図８（Ｂ）のＡ−Ａ矢視断面図である。
【図９】従来技術によるＦＰＣ用コネクタの構成を示す斜視図である。
【図１０】従来技術によるＦＰＣ用コネクタの縦断面図であり、図１０（Ａ）は、回動レバーが傾斜した状態図、図１０（Ｂ）は、回動レバーが傾倒した状態に至る途中の状態図、図１０（Ｃ）は、回動レバーが傾倒した状態図である。
【発明を実施するための形態】
【００４２】
以下、図面を参照して本発明を実施するための形態を説明する。
【００４３】
［第１実施形態］
（ＦＰＣ用コネクタの構成）
最初に、本発明の第１実施形態によるＦＰＣ用コネクタの構成を説明する。
【００４４】
図１は、本発明の第１実施形態によるＦＰＣ用コネクタの構成を示す図であり、図１（Ａ）は、第１実施形態によるＦＰＣ用コネクタの斜視図、図１（Ｂ）は、第１実施形態によるＦＰＣ用コネクタの斜視分解組立図である。
【００４５】
図２は、第１実施形態によるＦＰＣ用コネクタの構成を示す図であり、図２（Ａ）は、第１実施形態によるＦＰＣ用コネクタの平面図、図２（Ｂ）は、第１実施形態によるＦＰＣ用コネクタの正面図、図２（Ｃ）は、第１実施形態によるＦＰＣ用コネクタの縦断面図であり、第１実施形態によるＦＰＣ用コネクタに備わるロックレバーを開いた状態図である。
【００４６】
図３は、第１実施形態によるＦＰＣ用コネクタに備わる第１の単位コンタクトの構成を示す斜視図である。
【００４７】
図４は、第１実施形態によるＦＰＣ用コネクタの構成を示す図であり、図４（Ａ）は、第１実施形態によるＦＰＣ用コネクタの平面図、図４（Ｂ）は、図４（Ａ）のＡ−Ａ矢視断面図である。
【００４８】
（全体構成）
図１から図４を参照すると、本発明の第１実施形態によるＦＰＣ用コネクタ（以下、コネクタと略称する）１０は、直方体状の第１のハウジング１１と複数の板状のコンタクト２１を備えている。又、コネクタ１０は、ロックレバー３１と一対の補強タブ４１・４１を備えている。
【００４９】
図１（Ａ）を参照すると、コネクタ１０は、第１のＦＰＣ７１ｆとプリント基板９ｐ（図９参照）を電気的に接続できる。第１のＦＰＣ７１ｆは、その端末の一方の面Ｓｆに、電流の小さい信号ラインＳＬと電流の大きい電源ラインＰＬを並存した状態で露出させている。又、第１のＦＰＣ７１ｆは、その端末の他方の面Ｓｒに、補強板７１ｒを貼着している。更に、第１のＦＰＣ７１ｆは、その端末の中央部に係止孔７１ｈを開口している。
【００５０】
図１又は図２を参照して、第１のハウジング１１は、プリント基板９ｐに配置できる（図９参照）。第１のハウジング１１は、横長の凹部１１ｈを一方の端部に開口している。図１（Ａ）を参照すると、第１のハウジング１１の凹部１１ｈには、第１のＦＰＣ７１ｆの端末を導入できる。
【００５１】
図２を参照すると、複数のコンタクト２１は、第１のハウジング１１の凹部１１ｈに臨んで並設配置されている。図１（Ａ）又は図３を参照すると、これらのコンタクト２１は、単位コンタクト２１ｕと集合コンタクト２１ｇを含んでいる。単位コンタクト２１ｕは、信号ラインＳＬに電気的に接続できる。集合コンタクト２１ｇは、電源ラインＰＬに電気的に接続できる（図１（Ａ）参照）。
【００５２】
図２（Ｃ）又は図３を参照すると、集合コンタクト２１ｇは、単位コンタクト２１ｕの外形を一致させた状態で、単位コンタクト２１ｕの側面同士を重ね合わせている。集合コンタクト２１ｇを構成する複数の単位コンタクト２１ｕは、互いに干渉することなく、例えば、後述する一対のアーム２１１・２１１を独立して板厚方向に変位できる。第１実施形態による集合コンタクト２１ｇは、単位コンタクト２１ｕを二枚重ね合わせているが、集合コンタクト２１ｇは、単位コンタクト２１ｕを三枚以上重ね合わせすることも可能である。
【００５３】
図１から図４を参照すると、第１実施形態によるコネクタ１０は、第１のハウジング１１に並設配置した複数の板状のコンタクト２１を、信号ラインＳＬに接続する単位コンタクト２１ｕと、電源ラインＰＬに接続し、単位コンタクト２１ｕの外形を一致させた状態で単位コンタクト２１ｕの側面同士を重ね合わせた集合コンタクト２１ｇで構成したコンタクト構造を有し、集合コンタクト２１ｇは、１極当たりの電流量を大きくすることが可能になり、極間壁を不要とするので、コネクタ１０の幅方向（ピッチ方向）の小型化を実現できる。
【００５４】
又、図１（Ａ）又は図２（Ｃ）及び図３を参照すると、第１実施形態によるコネクタ１０は、信号ラインＳＬに接続するコンタクトを製造する金型と、電源ラインＰＬに接続するコンタクトを製造する金型を別々に用意する必要が無くなり、製造原価の低減を期待できる。
【００５５】
引き続き、第１実施形態によるＦＰＣ用コネクタの構成を説明する。図１又は図２を参照すると、ロックレバー３１は、一対の補強タブ４１・４１を介して、第１のハウジング１１と回動自在に連結している。図２（Ａ）に示すように、ロックレバー３１は、通常、第１のハウジング１１に対して起立した状態で配置している。一方、図１（Ａ）又は図２（Ｂ）に示すように、ロックレバー３１を回動することで、凹部１１ｈを部分的に覆うことができる。
【００５６】
図２（Ｂ）又は図２（Ｃ）を参照すると、ロックレバー３１は、円柱状の突起３１１を中間部に備えている。図１（Ａ）を参照して、第１のＦＰＣ７１ｆを第１のハウジング１１の凹部１１ｈに挿入し、第１のハウジング１１に対してロックレバー３１を閉じると、突起３１１を第１のＦＰＣ７１ｆの係止孔７１ｈに挿入できる。図４に示した状態では、突起３１１が係止孔７１ｈに挿入されている。これにより、第１のＦＰＣ７１ｆがコネクタ１０から脱絡することを防止できる。
【００５７】
一方、図２（Ａ）又は図４に示すように、ロックレバー３１が凹部１１ｈを部分的に覆った状態から、図２（Ｃ）に示すように、ロックレバー３１を起立状態に復帰すると、突起３１１が係止孔７１ｈから解放される。そして、第１のＦＰＣ７１ｆをコネクタ１０から取り出すことができる。
【００５８】
（第１のハウジングの構成）
次に、第１実施形態による第１のハウジング１１の構成を説明する。図１又は図２を参照して、第１のハウジング１１は、絶縁性を有する合成樹脂からなることが好ましい。絶縁性を有する合成樹脂を成形して、直方体状の第１のハウジング１１を得ることができる。
【００５９】
図２（Ｃ）を参照すると、第１のハウジング１１は、櫛歯状に形成した溝を凹部１１ｈの底部に形成している。又、第１のハウジング１１１は、櫛歯状に形成した溝を凹部１１ｈの上壁に形成している。これらの溝には、単位コンタクト２１ｕの基端部及び集合コンタクト２１ｇの基端部を収容できる。
【００６０】
なお、図２（Ｃ）を参照すると、単位コンタクト２１ｕを収容する櫛歯状の溝と、集合コンタクト２１ｇを収容する櫛歯状の溝は、それらの溝幅が異なっている。第１のハウジング１１の背面から、単位コンタクト２１ｕ及び集合コンタクト２１ｇを圧入することで、単位コンタクト２１ｕの基端部及び集合コンタクト２１ｇの基端部を第１のハウジング１１の内部に固定できる。
【００６１】
（第１の単位コンタクトの構成）
次に、第１実施形態による第１の単位コンタクト２１ｕの構成を説明する。図１（Ｂ）又は図２（Ｃ）を参照すると、第１の単位コンタクト２１ｕは、導電性を有する金属板を打ち抜き成形している。第１の単位コンタクト２１ｕは、一対のアーム２１１・２１１、一対の接点２１ｓ・２１ｓ、及び、リード部２１ｒを有している。
【００６２】
図２（Ｃ）を参照すると、一対のアーム２１１・２１１は、単位コンタクト２１ｕの基端部から先端部に向かって延びている。一対の接点２１ｓ・２１ｓは、一対のアーム２１１・２１１の先端部に対向配置されている。
【００６３】
図１（Ａ）又は図２（Ｃ）を参照して、第１のＦＰＣ７１ｆを第１のハウジング１１の凹部１１ｈに挿入すると、一対の接点２１ｓ・２１ｓの間に第１のＦＰＣ７１ｆの端末を導入できる。そして、一方の接点２１ｓを信号ラインＳＬ又は電源ラインＰＬに弾性をもって接触できる（図１（Ａ）参照）。つまり、第１の単位コンタクト２１ｕは、二本のアームによって向かい合った方向に接触力を加える音叉形のコンタクトである。
【００６４】
図２（Ｃ）を参照すると、第１の単位コンタクト２１ｕは、第１のハウジング１１の他方の端部側に延出したリード部２１ｒを有している。リード部２１ｒは、その底面をプリント基板９ｐの一方の面９１ｐにハンダ接合できる（図９参照）。つまり、第１実施形態によるコネクタ１０は、表面実装型のコネクタである。又、第１実施形態によるコネクタ１０は、Ｎｏｎ−ＺＩＦ形のＦＰＣ用コネクタでもある。
【００６５】
（ロックレバーの構成）
次に、第１実施形態によるロックレバー３１の構成を説明する。図１（Ｂ）又は図２（Ａ）を参照すると、ロックレバー３１は、一対の円柱状の回動軸３１ｓ・３１ｓを両側面の基端部に備えている。これらの回動軸３１ｓ・３１ｓは、相反する向きに向かって配置されている。
【００６６】
一方、図１（Ｂ）を参照すると、第１のハウジング１１は、一対の半円弧状の溝部１１ｄ・１１ｄを他方の端部側に形成している。これらの溝部１１ｄ・１１ｄには、一対の回動軸３１ｓ・３１ｓを他方の端部側から導入できる。
【００６７】
（補強タブの構成）
図１又は図２を参照すると、コネクタ１０は、一対の補強タブ４１・４１を更に備えている。補強タブ４１は、圧入片４１１と押え部４１２を有している（図２（Ｂ）参照）。圧入片４１１を第１のハウジング１１の上面側から圧入することで、補強タブ４１を第１のハウジング１１に固定できる。
【００６８】
図１を参照して、補強タブ４１を第１のハウジング１１に固定することで、押え部４１２と溝部１１ｄが協働して回動軸３１ｓを回動自在に保持できる。押え部４１２は、回動軸３１ｓが溝部１１ｄから離脱困難に押さえることができる。又、図２（Ｂ）を参照して、補強タブ４１の底面をプリント基板９ｐの一方の面９１ｐ（図９参照）にハンダ接合することで、プリント基板９ｐに対するコネクタ１０のハンダ接合強度を補強できる。
【００６９】
（ＦＰＣ用コネクタの作用）
次に、第１実施形態によるコネクタ１０の作用及び効果を説明する。
【００７０】
図１から図４を参照すると、第１実施形態によるコネクタ１０は、第１のハウジング１１に並設配置した複数の板状のコンタクト２１を、信号ラインＳＬに接続する単位コンタクト２１ｕと、電源ラインＰＬに接続し、単位コンタクト２１ｕの外形を一致させた状態で単位コンタクト２１ｕの側面同士を重ね合わせた集合コンタクト２１ｇで構成したコンタクト構造を有し、集合コンタクト２１ｇは、１極当たりの電流量を大きくすることが可能になり、極間壁を不要とするので、コネクタ１０の幅方向（ピッチ方向）の小型化を実現できる。
【００７１】
図１（Ａ）又は図２（Ｃ）及び図３を参照すると、第１実施形態によるコネクタ１０は、信号ラインＳＬに接続するコンタクトを製造する金型と、電源ラインＰＬに接続するコンタクトを製造する金型を別々に用意する必要が無くなり、製造原価の低減を期待できる。
【００７２】
図１（Ａ）を参照して、第１のＦＰＣ７１ｆを第１のハウジング１１の凹部１１ｈに挿入し、第１のハウジング１１に対してロックレバー３１を閉じると、突起３１１を第１のＦＰＣ７１ｆの係止孔７１ｈに挿入できる。図４に示した状態では、突起３１１が係止孔７１ｈに挿入されている。これにより、第１のＦＰＣ７１ｆがコネクタ１０から脱絡することを防止できる。
【００７３】
［第２実施形態］
（ＦＰＣ用コネクタの構成）
次に、本発明の第２実施形態によるＦＰＣ用コネクタの構成を説明する。
【００７４】
図５は、本発明の第２実施形態によるＦＰＣ用コネクタの構成を示す図であり、図５（Ａ）は、第２実施形態によるＦＰＣ用コネクタの斜視図、図５（Ｂ）は、第２実施形態によるＦＰＣ用コネクタの斜視分解組立図である。
【００７５】
図６は、第２実施形態によるＦＰＣ用コネクタの構成を示す図であり、図６（Ａ）は、第２実施形態によるＦＰＣ用コネクタを拡大して示す縦断面図であり、図６（Ｂ）は、第２実施形態によるＦＰＣ用コネクタの平面図、図６（Ｃ）は、図６（Ｂ）のＡ−Ａ矢視断面図である。
【００７６】
（全体構成）
図５又は図６を参照すると、本発明の第２実施形態によるＦＰＣ用コネクタ（以下、コネクタと略称する）２０は、直方体状の第２のハウジング１２と複数の板状のコンタクト２２を備えている。又、コネクタ２０は、バックフリップカバー３２と一対の補強タブ４２・４２を備えている。
【００７７】
図５（Ａ）を参照すると、コネクタ２０は、第２のＦＰＣ７２ｆとプリント基板９ｐ（図９参照）を電気的に接続できる。第２のＦＰＣ７２ｆは、その端末の他方の面Ｓｒに、電流の小さい信号ラインＳＬと電流の大きい電源ラインＰＬを並存した状態で露出させている。
【００７８】
又、図５（Ａ）を参照すると、第２のＦＰＣ７２ｆは、絶縁性を有するカバーレイで一方の面Ｓｆを被覆している。第２のＦＰＣ７２ｆは、その端末の一方の面Ｓｆに、補強板７２ｒを貼着している。更に、第２のＦＰＣ７２ｆは、その端末の両側部に一対の係止突起７２ｄ・７２ｄを形成している。一対の係止突起７２ｄ・７２ｄは、相反する向きに突出している。
【００７９】
図５（Ａ）又は図６（Ａ）を参照して、第２のハウジング１２は、プリント基板９ｐに配置できる（図９参照）。第２のハウジング１２は、凹部１２ｈを一方の端部に開口している。図５（Ａ）を参照すると、第２のハウジング１２の凹部１２ｈには、第２のＦＰＣ７２ｆの端末を導入できる。
【００８０】
図５（Ａ）を参照すると、複数のコンタクト２２は、第２のハウジング１２の凹部１２ｈに臨んで並設配置されている。図５（Ｂ）を参照すると、これらのコンタクト２２は、単位コンタクト２２ｕと集合コンタクト２２ｇを含んでいる。単位コンタクト２２ｕは、信号ラインＳＬに電気的に接続できる。集合コンタクト２２ｇは、電源ラインＰＬに電気的に接続できる（図５（Ａ）参照）。
【００８１】
図５（Ｂ）又は図６（Ａ）を参照すると、集合コンタクト２２ｇは、単位コンタクト２２ｕの外形を一致させた状態で、単位コンタクト２２ｕの側面同士を重ね合わせている。集合コンタクト２２ｇを構成する複数の単位コンタクト２２ｕは、互いに干渉することなく、例えば、後述する第１弾性アーム２２ｂを独立して板厚方向に変位できる。第２実施形態による集合コンタクト２２ｇは、単位コンタクト２２ｕを二枚重ね合わせているが、集合コンタクト２２ｇは、単位コンタクト２２ｕを三枚以上重ね合わせることも可能である。
【００８２】
図５又は図６を参照すると、第２実施形態によるコネクタ２０は、第２のハウジング１２に並設配置した複数の板状のコンタクト２２を、信号ラインＳＬに接続する単位コンタクト２２ｕと、電源ラインＰＬに接続し、単位コンタクト２２ｕの外形を一致させた状態で単位コンタクト２２ｕの側面同士を重ね合わせた集合コンタクト２２ｇで構成したコンタクト構造を有し、集合コンタクト２２ｇは、１極当たりの電流量を大きくすることが可能になり、極間壁を不要とするので、コネクタ２０の幅方向（ピッチ方向）の小型化を実現できる。
【００８３】
又、図５（Ｂ）又は図６（Ａ）を参照すると、第２実施形態によるコネクタ２０は、信号ラインＳＬに接続するコンタクトを製造する金型と、電源ラインＰＬに接続するコンタクトを製造する金型を別々に用意する必要が無くなり、製造原価の低減を期待できる。
【００８４】
引き続き、第２実施形態によるＦＰＣ用コネクタの構成を説明する。図５又は図６（Ａ）を参照すると、バックフリップカバー３２は、一対の補強タブ４２・４２を介して、第２のハウジング１２と回動自在に連結している。第２のハウジング１２は、その後部に段差１２２を形成している（図５（Ｂ）参照）。
【００８５】
図６（Ａ）の実線で示すように、第２のハウジング１２に対してバックフリップカバー３２を起立した状態では、バックフリップカバー３２は、第２のハウジング１２の段差１２２を開放している。一方、図６（Ａ）の想像線で示すように、第２のハウジング１２に対してバックフリップカバー３２を倒置した状態では、バックフリップカバー３２は、第２のハウジング１２の段差１２２を閉じている。このように、バックフリップカバー３２は、段差１２２を開閉自在に覆うことができる。
【００８６】
（第２のハウジングの構成）
次に、第２実施形態による第２のハウジング１２の構成を説明する。図５又は図６（Ａ）を参照すると、第２のハウジング１２は、櫛歯状に形成した溝を凹部１２ｈの底部に形成している。又、第２のハウジング１２は、櫛歯状に形成した溝を凹部１２ｈの上壁に形成している。これらの溝には、単位コンタクト２２ｕの中間部及び集合コンタクト２２ｇの中間部を収容できる。
【００８７】
なお、図６（Ａ）を参照すると、単位コンタクト２２ｕを収容する櫛歯状の溝と、集合コンタクト２２ｇを収容する櫛歯状の溝は、それらの溝幅が異なっている。第２のハウジング１２の前面から、単位コンタクト２２ｕ及び集合コンタクト２２ｇを圧入することで、単位コンタクト２２ｕの第１固定アーム２２ａ、及び。集合コンタクト２２ｇの第１固定アーム２２ａを第２のハウジング１２の内部に固定できる。
【００８８】
図５（Ａ）又は図６（Ａ）を参照すると、第２のハウジング１２は、一対の柱状段差１２ｄ・１２ｄを凹部１２ｈに有している。一対の柱状段差１２ｄ・１２ｄは、凹部１２ｈの底面から隆起している。図５（Ａ）又は図６（Ｂ）を参照して、第２のＦＰＣ７２ｆを凹部１２ｈに導入すると、一対の係止突起７２ｄ・７２ｄを一対の柱状段差１２ｄ・１２ｄに係止できる。これにより、コネクタ２０に対して、第２のＦＰＣ７２ｆの脱落を防止できる。
【００８９】
（第２の単位コンタクトの構成）
次に、第２実施形態による第２の単位コンタクト２２ｕの構成を説明する。図６（Ａ）を参照すると、第２の単位コンタクト２２ｕは、導電性を有する金属板を打ち抜き成形している。第２の単位コンタクト２２ｕは、第１固定アーム２２ａと第１弾性アーム２２ｂを有している。又、第２の単位コンタクト２２ｕは、第１連結脚２２ｃ、係合アーム２２ｄ、及び、第２弾性アーム２２ｅを有している。
【００９０】
図６（Ａ）を参照すると、第１固定アーム２２ａは、第２のハウジング１２に固定されている。第１弾性アーム２２ｂは、第１固定アーム２２ａに対向配置している。又、第１弾性アーム２２ｂは、第１の接点２２１を先端部に設けている。
【００９１】
図６（Ａ）を参照すると、第１連結脚２２ｃは、第１固定アーム２２ａ及び第１弾性アーム２２ｂの基端同士を連結している。係合アーム２２ｄは、第１弾性アーム２２ｂと相反する向きに延びている。第２弾性アーム２２ｅは、第１固定アーム２２ａと第１弾性アーム２２ｂの間に配置されている。又、第２弾性アーム２２ｅは、第１固定アーム２２ａに対向配置している。更に、第２弾性アーム２２ｅは、第２の接点２２２を先端部に設けている。
【００９２】
図６（Ａ）を参照すると、第１固定アーム２２ａは、第２のハウジング１２の一方の端部側に延出したリード部２２ｒを有している。リード部２２ｒは、その底面をプリント基板９ｐの一方の面９１ｐにハンダ接合できる（図９参照）。つまり、第２実施形態によるコネクタ２０は、表面実装型のコネクタである。
【００９３】
（バックフリップカバーの構成）
次に、第２実施形態によるバックフリップカバー３２の構成を説明する。図５（Ｂ）又は図６（Ａ）を参照すると、バックフリップカバー３２は、一対の円柱状の回動軸３２ｓ・３２ｓを両端部に備えている。これらの回動軸３２ｓ・３２ｓは、相反する向きに向かって配置されている。
【００９４】
一方、図５（Ｂ）を参照すると、第２のハウジング１２は、一対の半円弧状の溝部を他方の端部の両端部に形成している。これらの溝部には、一対の回動軸３２ｓ・３２ｓを他方の端部側から導入できる。又、補強タブ４２を第２のハウジング１２に固定することで、これらの溝部と押え部４２２とが協働して回動軸３２ｓを回動自在に保持できる。
【００９５】
図６（Ａ）を参照すると、バックフリップカバー３２は、複数の第１カム部３２ｃを基端部に有している。第１カム部３２ｃは、回動軸３２ｓと同軸上に配置されている。第１カム部３２ｃは、係合アーム２２ｄと段差１２２の底面との間に回動自在に保持されている。
【００９６】
図６（Ａ）を参照して、第２のハウジング１２に対して、バックフリップカバー３２を閉じることで、第１カム部３２ｃは、係合アーム２２ｄを押動して、第１弾性アーム２２ｂの先端部を第２弾性アーム２２ｅに向かって変位できる。一方、第２のハウジング１２に対して、バックフリップカバー３２を開くことで、係合アーム２２ｄは、第１カム部３２ｃに追従できる。そして、第１弾性アーム２２ｂの先端部を第２弾性アーム２２ｅから初期の状態に離反できる。
【００９７】
図５（Ａ）又は図６（Ａ）を参照して、第２のＦＰＣ７２ｆを第２のハウジング１２の凹部１２ｈに挿入すると、第１の接点２２１と第２の接点２２２の間に、第２のＦＰＣ７２ｆの端末を導入できる。第２のハウジング１２に対して、バックフリップカバー３２を閉じた状態では、第１の接点２２１を第２の接点２２２に向かって移動できる。そして、一方の第２の接点２２２を信号ラインＳＬ又は電源ラインＰＬに弾性をもって接触できる（図６（Ｃ）参照）。
【００９８】
図６（Ａ）又は図６（Ｃ）を参照して、第１の接点２２１と第２の接点２２２の間に、第２のＦＰＣ７２ｆの端末を導入した状態から、第２のハウジング１２に対して、バックフリップカバー３２を開いた状態では、第２の接点２２２から第１の接点２２１を離間できる。このように、第２実施形態によるコネクタ２０は、ハウジングの後部と開閉自在に連結したカバー部材を閉じることで、ハウジングに配置したコンタクトをＦＰＣの導体パターンに接触させるバックフリップ形のＦＰＣ用コネクタである。
【００９９】
（補強タブの構成）
図５（Ａ）又は図５（Ｂ）を参照すると、コネクタ２０は、一対の補強タブ４２・４２を更に備えている。補強タブ４２は、圧入片４２１と押え部４２２を有している。圧入片４２１を第２のハウジング１２の背面側から圧入することで、補強タブ４２を第２のハウジング１２に固定できる。
【０１００】
図６を参照して、補強タブ４２を第２のハウジング１２に固定することで、押え部４２２と第２のハウジング１２の背面に形成した溝部が協働して回動軸３２ｓを回動自在に保持できる。押え部４２２は、回動軸３２ｓが前記溝部から離脱困難に押さえることができる。又、図６（Ｂ）を参照して、補強タブ４２の底面をプリント基板９ｐの一方の面９１ｐ（図９参照）にハンダ接合することで、プリント基板９ｐに対するコネクタ２０のハンダ接合強度を補強できる。
【０１０１】
（ＦＰＣ用コネクタの作用）
次に、第２実施形態によるコネクタ２０の作用及び効果を説明する。
【０１０２】
図５又は図６を参照すると、第２実施形態によるコネクタ２０は、第２のハウジング１２に並設配置した複数の板状のコンタクト２２を、信号ラインＳＬに接続する単位コンタクト２２ｕと、電源ラインＰＬに接続し、単位コンタクト２２ｕの外形を一致させた状態で単位コンタクト２２ｕの側面同士を重ね合わせた集合コンタクト２２ｇで構成したコンタクト構造を有し、集合コンタクト２２ｇは、１極当たりの電流量を大きくすることが可能になり、極間壁を不要とするので、コネクタ２０の幅方向（ピッチ方向）の小型化を実現できる。
【０１０３】
又、図５（Ｂ）又は図６（Ａ）を参照すると、第２実施形態によるコネクタ２０は、信号ラインＳＬに接続するコンタクトを製造する金型と、電源ラインＰＬに接続するコンタクトを製造する金型を別々に用意する必要が無くなり、製造原価の低減を期待できる。
【０１０４】
図５又は図６を参照すると、第２実施形態によるコネクタ２０は、第２のハウジング１２に対してバックフリップカバー３２を閉じた状態では、第１の接点２２１が第２の接点２２２に向かって移動できる。一方、第２のハウジング１２に対してバックフリップカバー３２を開いた状態では、第１の接点２２１が第２の接点２２２から離間できる。
【０１０５】
［第３実施形態］
（ＦＰＣ用コネクタの構成）
次に、本発明の第３実施形態によるＦＰＣ用コネクタの構成を説明する。
【０１０６】
図７は、本発明の第３実施形態によるＦＰＣ用コネクタを示す図であり、図７（Ａ）は、第３実施形態によるＦＰＣ用コネクタの斜視図、図７（Ｂ）は、第３実施形態によるＦＰＣ用コネクタの斜視分解組立図である。
【０１０７】
図８は、第３実施形態によるＦＰＣ用コネクタを示す図であり、図８（Ａ）は、第３実施形態によるＦＰＣ用コネクタを拡大して示す縦断面図であり、図８（Ｂ）は、第３実施形態によるＦＰＣ用コネクタの平面図、図８（Ｃ）は、図８（Ｂ）のＡ−Ａ矢視断面図である。
【０１０８】
（全体構成）
図７又は図８を参照すると、本発明の第３実施形態によるＦＰＣ用コネクタ（以下、コネクタと略称する）３０は、直方体状の第３のハウジング１３と複数の板状のコンタクト２３を備えている。又、コネクタ３０は、フロントフリップカバー３３と一対の補強タブ４３・４３を備えている。
【０１０９】
図７（Ａ）を参照すると、コネクタ３０は、第３のＦＰＣ７３ｆとプリント基板９ｐ（図９参照）を電気的に接続できる。第３のＦＰＣ７３ｆは、その端末の他方の面Ｓｒに、電流の小さい信号ラインＳＬと電流の大きい電源ラインＰＬを並存した状態で露出させている。
【０１１０】
又、図７（Ａ）を参照すると、第３のＦＰＣ７３ｆは、絶縁性を有するカバーレイで一方の面Ｓｆを被覆している。第３のＦＰＣ７３ｆは、その端末の一方の面Ｓｆに、補強板７３ｒを貼着している。更に、第２のＦＰＣ７２ｆは、その端末の両側部に一対の係止突起７２ｄ・７２ｄを形成している。一対の係止突起７２ｄ・７２ｄは、相反する向きに突出している。
【０１１１】
又、図７（Ａ）を参照すると、第３のＦＰＣ７３ｆは、スリット溝７３ｓを端末の中央部に形成している。スリット溝７３ｓは、第３のＦＰＣ７３ｆの端末の先端縁から基端部側に向かって切り欠いている。
【０１１２】
図７（Ａ）又は図８（Ａ）を参照して、第３のハウジング１３は、プリント基板９ｐに配置できる（図９参照）。第３のハウジング１３は、凹部１３ｈを一方の端部に開口している。図７（Ａ）を参照すると、第３のハウジング１３の凹部１３ｈには、第３のＦＰＣ７３ｆの端末を導入できる。
【０１１３】
図７（Ａ）を参照すると、複数のコンタクト２３は、第３のハウジング１３の凹部１３ｈに臨んで並設配置されている。図７（Ｂ）を参照すると、これらのコンタクト２３は、単位コンタクト２３ｕと集合コンタクト２３ｇを含んでいる。単位コンタクト２３ｕは、信号ラインＳＬに電気的に接続できる。集合コンタクト２３ｇは、電源ラインＰＬに電気的に接続できる（図７（Ａ）参照）。
【０１１４】
図７（Ｂ）又は図８（Ａ）を参照すると、集合コンタクト２３ｇは、単位コンタクト２３ｕの外形を一致させた状態で、単位コンタクト２３ｕの側面同士を重ね合わせている。集合コンタクト２３ｇを構成する複数の単位コンタクト２３ｕは、互いに干渉することなく、例えば、後述する第３弾性アーム２３ｂを独立して板厚方向に変位できる。第３実施形態による集合コンタクト２３ｇは、単位コンタクト２３ｕを二枚重ね合わせているが、集合コンタクト２３ｇは、単位コンタクト２３ｕを三枚以上重ね合わせることも可能である。
【０１１５】
図７又は図８を参照すると、第３実施形態によるコネクタ３０は、第３のハウジング１３に並設配置した複数の板状のコンタクト２３を、信号ラインＳＬに接続する単位コンタクト２３ｕと、電源ラインＰＬに接続し、単位コンタクト２３ｕの外形を一致させた状態で単位コンタクト２３ｕの側面同士を重ね合わせた集合コンタクト２３ｇで構成したコンタクト構造を有し、集合コンタクト２３ｇは、１極当たりの電流量を大きくすることが可能になり、極間壁を不要とするので、コネクタ３０の幅方向（ピッチ方向）の小型化を実現できる。
【０１１６】
又、図７（Ｂ）又は図８（Ａ）を参照すると、第３実施形態によるコネクタ３０は、信号ラインＳＬに接続するコンタクトを製造する金型と、電源ラインＰＬに接続するコンタクトを製造する金型を別々に用意する必要が無くなり、製造原価の低減を期待できる。
【０１１７】
引き続き、第３実施形態によるＦＰＣ用コネクタの構成を説明する。図７又は図８（Ａ）を参照すると、フロントフリップカバー３３は、一対の補強タブ４３・４３を介して、第３のハウジング１３と回動自在に連結している。第３のハウジング１３は、その前部の段差に凹部１２ｈを形成している（図（Ｂ）参照）。
【０１１８】
図８（Ａ）を参照すると、第３のハウジング１３に対してフロントフリップカバー３３を倒置した状態では、フロントフリップカバー３３は、第３のハウジング１３の凹部１３ｈを覆っている。一方、図８（Ａ）に示した状態から、フロントフリップカバー３３を時計方向に回動すると、フロントフリップカバー３３は、第３のハウジング１３の凹部１３ｈを開放できる。このように、フロントフリップカバー３３は、凹部１３ｈを開閉自在に覆うことができる。
【０１１９】
（第３のハウジングの構成）
次に、第３実施形態による第３のハウジング１３の構成を説明する。図７又は図８（Ａ）を参照すると、第３のハウジング１３は、櫛歯状に形成した溝を凹部１３ｈの底部に形成している。又、第３のハウジング１３は、櫛歯状に形成した溝を凹部１３ｈの上壁に形成している。これらの溝には、単位コンタクト２３ｕの基端部及び集合コンタクト２３ｇの基端部を収容できる。
【０１２０】
なお、図８（Ａ）を参照すると、単位コンタクト２３ｕを収容する櫛歯状の溝と、集合コンタクト２３ｇを収容する櫛歯状の溝は、それらの溝幅が異なっている。第３のハウジング１３の背面から、単位コンタクト２３ｕ及び集合コンタクト２３ｇを圧入することで、単位コンタクト２３ｕの基端部、及び、集合コンタクト２３ｇの基端部を第３のハウジング１３の内部に固定できる。
【０１２１】
図７（Ｂ）を参照すると、第３のハウジング１３は、一対の柱状段差１３ｄ・１３ｄを凹部１３ｈに有している。一対の柱状段差１３ｄ・１３ｄは、凹部１３ｈの底面から隆起している。図７（Ａ）又は図８（Ｂ）を参照して、第３のＦＰＣ７３ｆを凹部１３ｈに導入すると、一対の係止突起７３ｄ・７３ｄを一対の柱状段差１３ｄ・１３ｄに係止できる。これにより、コネクタ３０に対して、第３のＦＰＣ７３ｆの脱落を防止できる。
【０１２２】
又、図７（Ｂ）又は図８（Ａ）を参照すると、第３のハウジング１３は、ガイドピン１３ｐを有している。ガイドピン１３ｐは、凹部１３ｈの底面から立設している。ガイドピン１３ｐは、スリット溝７３を案内できる。これにより、第３のＦＰＣ７３ｆの信号ラインＳＬと単位コンタクト２３ｕを位置合わせできる。
【０１２３】
（第３の単位コンタクトの構成）
次に、第３実施形態による第３の単位コンタクト２３ｕの構成を説明する。図７（Ａ）を参照すると、第３の単位コンタクト２３ｕは、導電性を有する金属板を打ち抜き成形している。第３の単位コンタクト２３ｕは、第２固定アーム２３ａ、第３弾性アーム２３ｂ、及び、第２連結脚２３ｃを有している。
【０１２４】
図８（Ａ）を参照すると、第２固定アーム２３ａは、その基端部側を第３のハウジング１３に固定している。又、第２固定アーム２３ａは、その先端部側を凹部１３ｈに向かって延出している。第２固定アーム２３ａは、鉤状の押え部２３１を先端部に形成している。押え部２３１は、凹部１３ｈの底面と対向している。
【０１２５】
図８（Ａ）を参照すると、第３弾性アーム２３ｂは、第２固定アーム２３ａと略平行に配置されている。第３弾性アーム２３ｂは、第３の接点２３２を先端部側に有している。第３の接点２３２は、押え部２３１に向かって突出している。
【０１２６】
図８（Ａ）を参照すると、第２連結脚２３ｃは、第２固定アーム２３ａ及び第３弾性アーム２３ｂの基端同士を連結している。又、第２連結脚２３ｃは、第３弾性アーム２３ｂと反対側に延出したリード部２３ｒを有している。
【０１２７】
図８（Ａ）を参照すると、リード部２３ｒは、その底面をプリント基板９ｐの一方の面９１ｐにハンダ接合できる（図９参照）。つまり、第３実施形態によるコネクタ２０は、表面実装型のコネクタである。
【０１２８】
（フロントフリップカバーの構成）
次に、第３実施形態によるフロントフリップカバー３３の構成を説明する。図７（Ｂ）又は図８（Ａ）を参照すると、フロントフリップカバー３３は、一対の円柱状の回動軸３３ｓ・３３ｓを両側面から突出している。これらの回動軸３３ｓ・３３ｓは、相反する向きに向かって配置されている。図７（Ｂ）又は図８（Ｂ）を参照すると、一対の回動軸３３ｓ・３３ｓは、後述する補強タブ４３・４３で回動自在に保持されている。
【０１２９】
図８（Ａ）を参照すると、フロントフリップカバー３３は、複数の第２カム部３３ｃを基端部に有している。第２カム部３３ｃは、回動軸３３ｓと同軸上に配置されている。第３のハウジング１３に対してフロントフリップカバー３３を閉じた状態では、第２カム部３３ｃは、押え部２３１で押さえられている。
【０１３０】
図７（Ａ）又は図８（Ａ）を参照して、第２カム部３３ｃと第３弾性アーム２３ｂの間に、第３のＦＰＣ７３ｆの端末を導入し、フロントフリップカバー３３は、では、第３の接点２３２に向かって第２カム部３３ｃが第３のＦＰＣ７３ｆを加圧できる。そして、第３の接点２３２を信号ラインＳＬ又は電源ラインＰＬに弾性をもって接触できる（図７（Ａ）参照）。
【０１３１】
なお、図７（Ａ）を参照すると、フロントフリップカバー３３は、第３のハウジング１３に閉じた状態を維持するための、一対のロック片３３ｔ・３３ｔを前部の両端部に設けている。
【０１３２】
一方、図７（Ａ）又は図８（Ａ）を参照して、第３のハウジング１３に対してフロントフリップカバー３３を開いた状態では、第２カム部３３ｃのカム面が変位することで、第３の接点２３２を第３のＦＰＣ７３ｆから離間できる。これにより、第３のＦＰＣ７３ｆをコネクタ３０から取り出すことができる。
【０１３３】
このように、図７又は図８を参照すると、第３実施形態によるコネクタ３０は、ハウジングの前部と開閉自在に連結したカバー部材を閉じることで、ハウジングに配置したコンタクトをＦＰＣの導体パターンに接触させるフロントフリップ形のＦＰＣ用コネクタである。
【０１３４】
（補強タブの構成）
図７（Ｂ）又は図８（Ｂ）を参照すると、コネクタ３０は、一対の補強タブ４３・４３を更に備えている。補強タブ４３は、圧入片４３１と押え部４３２を有している。圧入片４３１を第３のハウジング１３の前面側から圧入することで、補強タブ４３を第３のハウジング１３に固定できる。
【０１３５】
図７（Ｂ）を参照すると、押え部４３２は、Ｕ字状に切り欠いた溝部を形成している。この溝部には、回動軸３３ｓを外周方向から導入できる。補強タブ４３を第３のハウジング１３に固定することで、押え部４３２は、回動軸３３ｓを回動自在に保持できる。又、図７を参照して、補強タブ４３の底面をプリント基板９ｐの一方の面９１ｐ（図９参照）にハンダ接合することで、プリント基板９ｐに対するコネクタ３０のハンダ接合強度を補強できる。
【０１３６】
（ＦＰＣ用コネクタの作用）
次に、第３実施形態によるコネクタ３０の作用及び効果を説明する。
【０１３７】
図７又は図８を参照すると、第３実施形態によるコネクタ３０は、第３のハウジング１３に並設配置した複数の板状のコンタクト２３を、信号ラインＳＬに接続する単位コンタクト２３ｕと、電源ラインＰＬに接続し、単位コンタクト２３ｕの外形を一致させた状態で単位コンタクト２３ｕの側面同士を重ね合わせた集合コンタクト２３ｇで構成したコンタクト構造を有し、集合コンタクト２３ｇは、１極当たりの電流量を大きくすることが可能になり、極間壁を不要とするので、コネクタ３０の幅方向（ピッチ方向）の小型化を実現できる。
【０１３８】
又、図７（Ｂ）又は図８（Ａ）を参照すると、第３実施形態によるコネクタ３０は、信号ラインＳＬに接続するコンタクトを製造する金型と、電源ラインＰＬに接続するコンタクトを製造する金型を別々に用意する必要が無くなり、製造原価の低減を期待できる。
【０１３９】
図７又は図８を参照すると、第３実施形態によるコネクタ３０は、第３のハウジング１３に対してフロントフリップカバー３３を閉じた状態では、第３の接点２３２を信号ラインＳＬ又は電源ラインＰＬに弾性をもって接触できる。一方、第３のハウジング１３に対してフロントフリップカバー３３を開いた状態では、第３の接点２３２を第３のＦＰＣ７３ｆから離間できる。これにより、第３のＦＰＣ７３ｆをコネクタ３０から取り出すことができる。
【０１４０】
本発明によるＦＰＣ用コネクタは、バッテリーなどに接続した電流の大きい電源ラインを有するＦＰＣと接続するために好適なコンタクト構造を開示したが、本発明によるＦＰＣ用コネクタのコンタクト構造は、電線とプリント基板を電気的に接続する、いわゆる、電線対基板コネクタに応用することを期待できる。
【符号の説明】
【０１４１】
９ｐ  プリント基板
１０  コネクタ（ＦＰＣ用コネクタ）
１１  第１のハウジング（ハウジング）
１１ｈ  凹部
２１  第１のコンタクト（コンタクト）
２１ｇ  集合コンタクト
２１ｕ  第１の単位コンタクト（単位コンタクト）
７１ｆ  第１のＦＰＣ（ＦＰＣ）
ＰＬ  電源ライン
ＳＬ  信号ライン
【図１】
2019106347.tif 000003
【図２】
2019106347.tif 000004
【図３】
2019106347.tif 000005
【図４】
2019106347.tif 000006
【図５】
2019106347.tif 000007
【図６】
2019106347.tif 000008
【図７】
2019106347.tif 000009
【図８】
2019106347.tif 000010
【図９】
2019106347.tif 000011
【図１０】
2019106347.tif 000012